(57)【要約】本発明は、緑内障の診断および処置のための方法およびキットを提供する。細胞または体液から得られたサンプルにおいて、骨形態形成ファミリーメンバー遺伝子の発現の変化を検出することによる、緑内障を診断する方法であって：緑内障を有すると疑われる患者から組織または液体のサンプルを得る工程；該サンプルからＤＮＡを抽出する工程；複数のＰＣＲプライマーを得る工程であって、各プライマーは、配列番号１、配列番号３、配列番号５、配列番号７、配列番号３７、配列番号３９、配列番号４１、配列番号４３、配列番号４５、配列番号４７または配列番号５３由来の、１８〜１５４７連続するヌクレオチドからなる配列を含む；該プライマーを使用して、該抽出されたＤＮＡの領域を増幅してＰＣＲ産物を得る工程；該ＰＣＲ産物を分離する工程；ならびに該増幅した抽出されたＤＮＡ配列と該プライマーの配列との間の違いを同定する工程を包含する。【特許請求の範囲】
【請求項１】
細胞または体液から得られたサンプルにおいて、骨形態形成ファミリーメンバー遺伝子の発現の変化を検出することによる、緑内障を診断する方法であって、該方法は、以下の工程：
ｇ）緑内障を有すると疑われる患者から組織または液体のサンプルを得る工程；
ｈ）該サンプルからＤＮＡを抽出する工程；
ｉ）複数のＰＣＲプライマーを得る工程であって、該プライマーの各々は、配列番号１、配列番号３、配列番号５、配列番号７、配列番号３７、配列番号３９、配列番号４１、配列番号４３、配列番号４５、配列番号４７または配列番号５３由来の、１８〜１５４７連続するヌクレオチドからなる配列を含む、工程；
ｊ）該プライマーを使用して、該抽出されたＤＮＡの領域を増幅してＰＣＲ産物を得る工程；
ｋ）該ＰＣＲ産物を分離する工程；ならびに
ｌ）該増幅した抽出されたＤＮＡ配列と該プライマーの配列との間の違いを同定する工程、を包含し、
ここで該増幅配列とプライマーとの間の違いは、緑内障の診断特徴である、方法。
【請求項２】
請求項１に記載の方法であって、前記組織サンプルまたは前記液体サンプルは、血液または頬の細胞である、方法。
【請求項３】
請求項１に記載の方法であって、前記プライマーは、配列番号１、配列番号３、配列番号５、配列番号７、配列番号３７、配列番号３９、配列番号４１、配列番号４３、配列番号４５、配列番号４７または配列番号５３の、２０〜１００連続するヌクレオチドからなる配列を包む、方法。
【請求項４】
請求項１に記載の方法であって、前記プライマーは、配列番号３の２０〜５０連続するヌクレオチドからなる配列を包む、方法。
【請求項５】
請求項１に記載の方法であって、前記ＰＣＲ産物は、ＳＳＣＰ、ＤＧＧＥ，ＡＳＯまたはＲＦＬＰによって分離される、方法。
【請求項６】
緑内障を処置する方法であって、該方法は、ＢＭＰ２アゴニスト、ＢＭＰ４アゴニスト、ＢＭＰ５アゴニスト、ＢＭＰ７アゴニスト、Ｓｍａｄ１／５アゴニスト、コーディンアンタゴニスト、グレムリンアンタゴニストおよび、フォリスタチンアンタゴニストからなる群から選択される少なくとも１つの化合物からなる配列を包む組成物を、このような処置を必要とする患者に投与する工程を包含する、方法。
【請求項７】
緑内障を処置するための治療剤を同定する方法であって、該方法は以下の工程：
ｄ）ＢＭＰ−２Ａ、ＢＭＰ４、ＢＭＰ−５、またはＢＭＰ７を発現する組換え細胞の集団を含む、第一の組成物を得る工程；
ｅ）候補物質を得る工程；
ｆ）該組成物および該候補物質をインキュベートする工程；
ｇ）該組成物を、ＢＭＰ誘導性Ｓｍａｄシグナル伝達経路、またはＢＭＰ調節性の遺伝子発現を開始する能力について試験する工程；ならびに
ｈ）ＢＭＰ誘導性のＳｍａｄシグナル伝達経路、または該ＢＭＰ調節性の遺伝子発現を阻害または刺激する候補物質を同定する工程、
を包含する、方法。
【発明の詳細な説明】
【技術分野】
【０００１】
（１．発明の分野）
本発明は、緑内障および関連障害の診断および処置のための方法および試薬を開示する。
【背景技術】
【０００２】
（２．関連分野の説明）
「緑内障」は、消耗性の眼の疾患の一群であり、米国および他の先進国において回復不能の失明の主要原因である。緑内障のもっとも一般的な形態である原発性開放隅角緑内障（「ＰＯＡＧ」）は、虹彩と角膜との間の空間（例えば、「角」）の閉鎖無しに、房水が眼を離れる正常な能力の閉塞を起こす、小柱網の変性によって特徴づけられる（Ｖａｕｇｈａｎ，Ｄ．ら、（１９９２））。この疾患におけるこのような閉塞の特徴は、眼内圧力（「ＩＯＰ」）上昇であり、もし適切にかつ適時な様式で処置されなければ、進行性の視力喪失および失明を起こす。この疾患は、４０歳を越える全ての成人のうち０．４％と３．３％との間の人々に影響を及ぼすことが推測される（Ｌｅｓｋｅ，Ｍ．Ｃ．ら、（１９８６）；Ｂｅｎｇｔｓｓｏｎ，Ｂ．（１９８９）；Ｓｔｒｏｎｇ，Ｎ．Ｐ．（１９９２））。さらに、この疾患の有病率は、年齢とともに増加して、７５歳以上では６％を超える（Ｓｔｒｏｎｇ，Ｎ．Ｐ．、（１９９２））。
【０００３】
ＩＯＰの上昇は、緑内障の容易に測定可能な特徴であるので、この疾患の診断は、眼内力の測定（眼圧測定）によって大まかにスクリーニングされる（Ｓｔｒｏｎｇ，Ｎ．Ｐ．（１９９２）；Ｇｒｅｖｅ，Ｍ．ら、（１９９３））。不幸なことに、緑内障および正常の圧力範囲は重複するので、このような方法は、多数の読み取りが得られない限り、限定された値のものである（Ｈｉｔｃｈｉｎｇｓ，Ｒ．Ａ．、（１９９３）；Ｔｕｃｋ，Ｍ．Ｗ．ら、（１９９３）；Ｖａｕｇｈａｍ，Ｄ．ら、（１９９２）；Ｖｅｒｎｏｎ，Ｓ．Ａ．、（１９９３））。この理由から、さらなる方法（例えば、視神経円板の直接的な検査および患者の視野損失の程度の決定）が、しばしば、診断の正確性を改善するために実施される（Ｇｒｅｖｅ，Ｍ．ら、（１９９３））。
【０００４】
緑内障は、眼における３つの別個の組織に影響する。ＰＯＡＧ関連の上昇したＩＯＰは、小柱網（ＴＭ）（角膜と虹彩との間の角に位置する組織）での形態的変化および生物化学的な変化に起因する。栄養性房水のほとんどは、ＴＭを通って眼の前方区画に存在する。緑内障の眼のＴＭにおけるＴＭ細胞の進行性の喪失および細胞外破片の増加は、房水流出に対する耐性の増加を引き起し（Ｌｕｔｊｅｎ−ＤｒｅｃｏｌｌおよびＲｏｈｅｎ  １９９６；Ｒｏｈｅｎ  １９８３；Ｒｏｈｅｎら、１９９３；ＧｒｉｅｒｓｏｎおよびＣａｌｔｈｏｒｐｅ  １９８８）、それによって、ＩＯＰが上昇する。ＩＯＰの上昇ならびに他の因子（例えば、虚血）は、視神経乳頭（ＯＮＨ）において変性性の変化を起こし、ＯＮＨの進行性の「杯形成」（ＶａｒｍａおよびＭｉｎｃｋｌｅｒ  １９９６；ＨｅｒｎａｎｄｅｚおよびＧｏｎｇ  １９９６；Ｈｅｒｎａｎｄｅｚら、１９９０；ＨｅｒｎａｎｄｅｚおよびＰｅｎａ  １９９７；Ｍｏｒｒｉｓｏｎら、１９９０））、ならびに網膜神経節細胞（Ｑｕｉｇｌｅｙら、２０００；Ｑｕｉｇｌｅｙ  １９９９；Ｑｕｉｇｌｅｙら、１９９５；Ｋｅｒｒｉｇａｎら、１９９７）ならびに軸策の喪失を起こす。ＴＭ、ＯＮＨおよび網膜の神経節細胞に対する緑内障による損傷の原因となる詳細な分子機構は、未知である。
【０００５】
現在の緑内障の治療は、緑内障の発病および進行の主な危険因子であるＩＯＰを低下させることに関する。これらの治療はＩＯＰを低下させるが、病原機構に直接的に対処せず、そしてこの疾患は進行を続ける。緑内障を有する患者らの少なくとも半分は診断されず、患者らが緑内障を有すると診断されるまでに、患者らはすでに４０％近くの網膜の神経節細胞を喪失してしまっている。したがって、緑内障のより早い検出および診断の方法が必要とされる。
【発明の開示】
【発明が解決しようとする課題】
【０００６】
緑内障の重要性、および以前の診断方法の少なくとも部分的な欠点の見地において、初期段階の緑内障の診断のための改善されたより正確な方法を有することが所望される。さらに、緑内障の病原の機構に対処する新規の治療剤を有することが所望される。
【課題を解決するための手段】
【０００７】
（発明の要旨）
本発明は、先行技術のこれらおよび他の欠点を、緑内障の初期診断のための方法およびキット、緑内障の処置のための方法およびキット、ならびに緑内障の処置において有用な化合物の同定のための方法およびキットを提供することによって克服する。
【０００８】
ある特定の実施形態において、本発明は、細胞および体液から得られたサンプル中の骨形成タンパク質ファミリーメンバー遺伝子の発現の変化を検出することによる、緑内障の診断のための方法を提供する。この方法は、一般に以下の工程：
ａ）緑内障を有すると疑われる患者から組織サンプルまたは体液サンプルを得る工程；
ｂ）このサンプルからＤＮＡを抽出する工程；
ｃ）複数のＰＣＲプライマーを得る工程であって、これらプライマーの各々は、配列番号１、配列番号３、配列番号５、配列番号７、配列番号３７、配列番号３９、配列番号４１、配列番号４３、配列番号４５、配列番号４７または配列番号５３由来の１８〜１５４７連続するヌクレオチドからなる配列を含む、工程；
ｄ）これらのプライマーを使用して、抽出されたＤＮＡの領域を増幅してＰＣＲ産物を得る工程；
ｅ）このＰＣＲ産物を分離する工程；ならびに
ｆ）このＰＣＲ産物の配列と正常な遺伝子配列との間の違いを同定する工程、を包含し、
ここで、この増幅配列と正常な遺伝子配列との間の違いは、緑内障の診断特徴である。
【０００９】
一般に、本発明の方法は、個体からサンプルを得る工程およびこのサンプルからＤＮＡを抽出する工程を包含し得る。ＢＭＰ遺伝子ファミリーの特定のメンバーのための選択されたＰＣＲプライマーは、ＰＣＲ産物を得るために、抽出された遺伝子の適切な領域の増幅のために使用される。ＰＣＲ産物を、評価されている特定のＢＭＰファミリーの遺伝子（抽出されたＤＮＡ）の正常形態と変異形態との間のＤＮＡ配列の違いを効果的に同定する技術によって、分離される。同定された配列間の違いは、緑内障を示す。
【００１０】
本発明の方法において使用される組織サンプルおよび液体サンプルは、血液または頬の細胞であり得る。
【００１１】
代表的に、プライマー配列は、約１０、１５、または１８ヌクレオチド〜約２０ヌクレオチド、あるいは約１０、１５、または１８ヌクレオチド〜約３０ヌクレオチドの範囲の長さを有する。より長い配列（例えば、４０、５０、８０、９０、９５、１００、全長までさえ）が、ある実施形態についてなおさらに好ましい。少なくとも約１８〜２０ヌクレオチドのオリゴヌクレオチドの長さは、分子プローブとして有用であるように十分に特異的なハイブリダイゼーションを可能にするのに十分であるとして、当業者に十分受け入れられている（Ｌａｔｈｅ（１９８５）によって記載され、この参考文献は、この目的のために、本明細書中で参考として具体的に採用される）。好ましくは、このヌクレオチド配列は、配列番号１、配列番号３、配列番号５、配列番号７、配列番号３７、配列番号３９、配列番号４１、配列番号４３、配列番号４５、配列番号４７または配列番号５３の、２０〜１００連続するヌクレオチドからなる。プライマー配列は、その配列が公知であるＢＭＰレセプター遺伝子の配列およびのＢＭＰ関連タンパク質の配列由来の、少なくとも１０、１５、または１８連続するヌクレオチドの配列からなり得ることもまた企図される。
【００１２】
配列番号１、配列番号３、配列番号５、配列番号７、配列番号３７、配列番号３９、配列番号４１、配列番号４３、配列番号４５、配列番号４７または配列番号５３のいずれか１つに相補的な、１０、１８、２０、３０、５０、６０、６５または１００ヌクレオチド程度まで、および１００ヌクレオチド程度を含むストレッチを有する核酸分子は、ハイブリダイゼーションプローブとしての有用性を有する。約１８ヌクレオチドのヌクレオチド長を有するプライマーまたはプローブが、標的配列に対する高度に特異的なハイブリダイゼーションを提供することが、当業者に認識される。フラグメントの全サイズならびに相補的ストレッチのサイズは、特定の核酸セグメントの適用の意図した使用に最終的に依存する。より小さいフラグメントは、一般に、ハイブリダイゼーション実施形態における用途を見出し、ここで、相補的な領域の長さは変化し得る（例えば、検出したいと望む相補的配列に従って、約１０、１８、２０もしくは３０ヌクレオチドと約５０、６０、７０、８０、８０もしくは１００ヌクレオチドとの間、または全長まで）。
【００１３】
特に好ましい実施形態において、プライマーは、配列番号１、配列番号３、配列番号５、配列番号７、配列番号３７、配列番号３９、配列番号４１、配列番号４３、配列番号４５、配列番号４７または配列番号５３由来の連続する配列からなる。他の好ましい実施形態において、プライマーは、ＢＭＰレセプター遺伝子（ｔｅｎ  Ｄｉｊｋｅら、１９９３；Ａｓｔｒｏｍら、１９９９；Ｎｏｈｎｏら、１９９５によって開示され、これらはすべて参考として採用される）または、ＢＭＰ関連遺伝子（例えば、コーディン（ｃｈｏｒｄｉｎ）（ＮＣＢＩ  ＮＭ＿０２９１３０）、グレムリン（ｇｒｅｍｌｉｎ）（Ｍｕｒｐｈｙら、１９９９；ＭｃＭａｈｏｎら、２０００）、フォリスタチン（ｆｏｌｌｉｓｔａｔｉｎ）（ＮＣＢＩ  ＮＭ＿００３８９２）、またはバンビ（ｂａｍｂｉ）（ＮＣＢＩ  ＮＭ＿００５７９１））由来の連続配列からなる。最も好ましくは、プライマーは、配列番号３由来の連続配列からなる。ある局面において、少なくともいくつかのプライマーは、検出可能な標識をさらに含み得る。
【００１４】
他の実施形態において、本発明は、ＢＭＰ２アゴニスト、ＢＭＰ４アゴニスト、ＢＭＰ５アゴニスト、ＢＭＰ７アゴニスト、Ｓｍａｄ１／５アゴニスト、コーディンアンタゴニスト、グレムリンアンタゴニスト、およびフォリスタチンアンタゴニストからなる群より選択される少なくとも１つの化合物からなる配列を含む組成物を、緑内障の処置を必要とする患者に投与することによる、緑内障の処置の方法を提供する。
【００１５】
さらなる局面において、本発明は、緑内障の処置のための治療剤を同定する方法を提供する。治療剤は、例えば、以下によって同定され得る；
ａ）ＢＭＰ−２Ａ、ＢＭＰ４、ＢＭＰ−５またはＢＭＰ７を発現する組換え細胞の集団を含む第一の組成物を得ること；
ｂ）候補物質を得ること；
ｃ）この組成物およびこの候補物質をインキュベートすること；
ＢＭＰ誘導性Ｓｍａｄシグナル伝達経路および／またはＢＭＰ調節性の遺伝子発現を開始する能力について、この化合物を試験すること；ならびにＢＭＰのこれらの下流の効果を阻害、または刺激する候補物質を同定すること。
【００１６】
本発明の別の局面は、本発明の配列および適切な試薬（例えば、タンパク質、ペプチド、または抗体自体に連結した検出可能な標識）を含む診断キットである。あるいは、検出可能な標識は、本発明の配列に選択的にハイブリダイズする第２の配列に連結され得る。
【００１７】
関連する実施形態は、本明細書中に開示される核酸配列またはペプチド配列もしくはタンパク質配列のいずれかの、薬学的に受容可能な処方物を含む治療キットを含む。このようなキットは、緑内障の診断のための、臨床的なサンプル中のＢＭＰ遺伝子およびＢＭＰタンパク質の変化した発現の検出に有用である。
【００１８】
（好ましい実施形態の詳細な説明）
小柱網は、房水の正常な流れにおいて、重要な役割を担うことが提案されており、そして緑内障の眼における流出抵抗の主な部位であると推測されている。ヒト小柱網（ＨＴＭ）細胞は、房水が眼から出る流出チャネルを裏打ちする特殊化した細胞である。細胞の変化した合成機能は、ＰＯＡＧ、ステロイド緑内障、および他のタイプの緑内障の病因に関与し得る。
【００１９】
集中的な研究の年月にもかかわらず、眼への緑内障による損傷の原因となる正確な分子機構は、知られていない。最近の研究によって、増殖因子が、緑内障に関連する眼の組織における正常な恒常性を維持することにおいて重要であり得、そして増殖因子／増殖因子レセプターの変化が、緑内障の病因において役割を担い得ることが示唆されている。増殖因子は、ポリペプチドの非常に大きなファミリーであり、細胞の増殖および分化を制御する。これらの分子は、遺伝子発現、細胞外マトリックスの組成および堆積、細胞骨格構築、ならびに細胞機能の調節に対して、種々の細胞特異的影響を有する。ＴＭは、広範囲な様々の増殖因子、増殖因子レセプター（Ｔｒｉｐａｔｈｉら、１９９３ａ；Ｔｒｉｐａｔｈｉら、１９９３ｂ；Ｔｒｉｐａｔｈｉら、１９９４ａ；Ｔｒｉｐａｔｈｉら、１９９４ｂ；Ｗｏｒｄｉｎｇｅｒら、１９９８；Ｗｏｒｄｉｎｇｅｒら、１９９９）ならびに神経栄養ニューロトロフィン／神経栄養因子およびそれらのレセプター（Ｌｉｕら、２００１；Ｗｏｒｄｉｎｇｅｒら、２０００）を発現する。ＯＮＨ星状細胞および篩板細胞（視神経乳頭の２つの細胞型）は、増殖因子であるニューロトロフィンおよびそのレセプターを発現する（Ｌａｍｂｅｒｔら、２００１；Ｐｅｎａら、１９９９）。房水はまた、種々の増殖因子（ＦＧＦ２、ＥＧＦ、ＴＧＦβ、ＨＧＦを含む）（Ｔｒｉｐａｔｈｉら、１９９６；Ｔｒｉｐａｔｈｉら、１９９１；Ｔｒｉｐａｔｈｉら，１９９２；ＨｕおよびＲｉｔｃｈ、２００１）ならびにニューロトロフィン（Ｃｈｕｎｄｒｕら、２０００）を含む。房水のＴＧＦβ−２およびＨＧＦの上昇したレベルは、ＰＯＡＧ患者において報告されている（Ｔｒｉｐａｔｈｉら、１９９４ｃ；Ｉｎａｔａｎｉら、２００１；Ｐｉｃｈｔら２００１）。増殖因子は、ＴＭおよびＯＮＨの正常な発達および／または機能を変更することによって、緑内障に関与し得る。
【００２０】
本発明は、骨形成タンパク質（ＢＭＰ）が、骨形成および軟骨形成を誘導するだけではなく、多数の細胞型に対する広範な影響を有する多機能的なサイトカインであり（Ｈｏｇａｎ  １９９６；Ｒｅｄｄｉ  １９９７）、そしてヒト小柱網（ＨＴＭ）細胞および視神経乳頭（ＯＮＨ）細胞の両方によって発現される（Ｗｏｒｄｉｎｇｅｒら、２００２）という認識に部分的に由来する。ＢＭＰは、ＴＧＦβスーパーファミリーのメンバーであり、ヒトには約１５〜２０のＢＭＰ遺伝子、３つのＢＭＰレセプター、そしてＢＭＰアンタゴニストとして機能する多数のＢＭＰ関連タンパク質がある（Ｙａｍａｓｈｉｔａら、１９９６）。ＢＭＰは、ＢＭＰＲ−ＩおよびＢＭＰＲ−ＩＩからなるレセプター複合体を介してシグナルを伝達する。スーパーファミリーメンバーのであるＴＧＦβおよびＴＧＦβＲ（Ａｇａｒｗａｌら、１９９７；Ｌａｍｂｅｒｔら、１９９７）ならびにＧＤＮＦおよびＧＤＮＦＲ（Ｗｏｒｄｉｎｇｅｒら、１９９９；Ｌｉｕら、１９９９）は、ＨＴＭ細胞およびＯＮＨ細胞の両方によって発現されることが報告されている。
【００２１】
ＢＭＰおよびＢＭＰレセプターは、眼の組織で発現しているが（Ｏｂａｔａら、１９９９；Ｙｏｕら、１９９９）、以前の報告は、眼の発達に集中している。マウスにおけるＢＭＰをコードする遺伝子の標的化された破壊が、網膜および水晶体に重篤な発達欠損を引き起こすので、ＢＭＰの機能は眼の発達に重要である（Ｊｅｎａら、１９９７；Ｌｕｏら、１９９５；Ｄｕｄｌｅｙら、１９９５）。ＢＭＰ−２、ＢＭＰ−４およびＢＭＰ−７は、眼および網膜の発達に関与する（Ｊｅｎａら、１９９７；ＦｕｒｕｔａおよびＨｏｇａｎ  １９９８；Ｒｅｄｄｉ  ２０００；Ｔｒｏｕｓｓｅら、２００１）。ＢＭＰ−６およびＢＭＰ−７もまた、低血糖または虚血損傷からニューロンを保護する役割を果たすようであり（Ｎｏｎｎｅｒら、２００１；Ｌｉｕら、２００１）、そしてＢＭＰ２は、神経節細胞のニューロトロフィン発現を増強することが示されている（Ｚｈａｎｇら、１９９８）。Ｂｍｐ４について不十分なハプロイド（ｈａｐｌｏｉｎｓｕｆｆｉｃｉｅｎｔ）であるヘテロ接合体ノックアウトマウスは、前方部分の発育不全、ＩＯＰの上昇、および視神経異常を含む眼の表現型を有する（Ｃｈａｎｇら、２００１）。ヒトの出生後の眼におけるＢＭＰの役割に関して、非常に限られた情報が発表されている。
【００２２】
Ｍｏｈａｎおよび共同研究者（１９９８）は、ＢＭＰ−２およびＢＭＰ−４ならびにＢＭＰレセプターが、成体の角膜細胞において発現することを報告し、そしてＢＭＰ機能が、角膜の角膜実質細胞の増殖およびアポトーシスを含み得ることを示唆した。Ｙｏｕおよび共同研究者（１９９９）は、この研究を確認し、そしてまた、エキソビボならびに培養角膜上皮および培養基質細胞でのＢＭＰ−３、ＢＭＰ−５およびＢＭＰ−７の発現を報告した。彼らは、ＢＭＰの転写レベルが、基質においてより高く、一方でレセプターのレベルが培養角膜上皮細胞においてより高いことを報告した。
【００２３】
ＲＴ−ＰＣＲを使用して、本発明者らは、ＢＭＰのｍＲＮＡ、ＢＭＰレセプターであるＢＭＰＲ−ＩＡ、ＢＭＰＲ−ＩＢおよびＢＭＰＲ−ＩＩのｍＲＮＡ、ならびにＢＭＰ結合タンパク質であるグレムリン、コーディン、フォリスタチン、およびバンビのｍＲＮＡを、ＨＴＭ、篩板（ＬＣ）およびＯＮＨ星状細胞細胞株および組織で発見した（Ｗｏｒｄｉｎｇｅｒら、２００２）。本発明者らはさらに、ＨＴＭ細胞およびＯＮＨ細胞が、タンパク質ＢＭＰ−２、ＢＭＰ−４、ＢＭＰ−５およびＢＭＰ−７を発現することを発見した。
【００２４】
緑内障は、ＢＭＰシグナル伝達ファミリーのメンバーの遺伝子における遺伝的変化の特徴付けによって診断される。本明細書中で使用する場合、句「骨形成タンパク質ファミリーメンバー遺伝子」および「ＢＭＰシグナル伝達ファミリー」は、全てのＢＭＰ、ＢＭＰレセプターおよび関連するタンパク質をいう。用語「遺伝的変化」は、当業者にとって周知である。特定の遺伝子における遺伝的変化に関する障害の多数の例が存在する（例えば、Ｃｕｍｍｉｎｇｓ  １９９７；Ｓｔｒａｃｈａｎら、１９９６；Ｊｏｒｄｅら、１９９９を参照のこと）。特定の遺伝子（例えば、ＢＭＰ）における遺伝的変化は、当業者に周知の様々な技術を使用することによって決定され得る（例えば、ＳＳＣＰ、ＤＧＧＥ、ＡＳＯ、ＲＦＬＰ、ヘテロニ重鎖分析、ＣＣＭ、ＰＴＴ、ならびにＲＮａｓｅ切断（Ｂｉｒｒｅｎら、１９９８を参照のこと））。
【００２５】
緑内障は、上昇したＩＯＰおよび／または緑内障的な眼の神経障害を引き起こす、眼における１つ以上のＢＭＰファミリー遺伝子の発現の変化によって生じ得る。「変化したＢＭＰ遺伝子発現」は、この遺伝子産物の発現が正常とは異なることを意味する。この用語はまた、遺伝子またはタンパク質の配列における変化もいい得る。正常なＢＭＰ遺伝子は、十分特徴づけられており（上記を参照のこと）、そしてＢＭＰの発現は、ＴＭおよびＯＮＨを含む様々な組織において報告されている。ＢＭＰファミリー遺伝子のコード領域の遺伝的変化は、これらのタンパク質の機能を変化し得る。コード領域外の遺伝的変化もまた、緑内障を引き起こし得る。
【００２６】
特定の遺伝子のコード領域の「外の変化」が、遺伝子発現の調節において重要であることは当業者に周知である。例えば、ほとんどの遺伝子のコード領域の上流（５’）領域は、その遺伝子の発現を「促進」および調節するプロモーター領域として公知である。プロモーター領域は、遺伝子発現の活性化または抑制の原因となる、様々な転写因子およびＤＮＡ結合タンパク質によって認識される多数のヌクレオチド配列を含む。遺伝子の下流（３’）領域は、遺伝子産物のポリアデニル化を決定し得、それによってＲＮＡプロセシングおよび遺伝子産物の翻訳を調節し得る。
【００２７】
緑内障を示すＢＭＰ遺伝子の発現の変化または、遺伝子配列における変異は、当業者に周知の技術を使用して検出され得る。例えば、ほぼ全ての長さの核酸フラグメントが使用され得、その全長は、調製しやすさおよび意図するプロトコールでの使用しやすさによって好ましくは限定されることが企図される。本明細書中に開示される核酸配列はまた、核酸ハイブリダイゼーション実施形態におけるプローブまたはプライマーとしての有用性も有し得る。このように、ＢＭＰ−２Ａ（配列番号１）、ＢＭＰ−４（配列番号３）、ＢＭＰ−５（配列番号５）、ＢＭＰ−７（配列番号７）、ＢＭＰ−ＲＩＡ（配列番号３７）、ＢＭＰ−ＲＩＢ（配列番号３９）、ＢＭＰ−ＲＩＩ（配列番号４１）、コーディン（配列番号４３）、グレムリン（配列番号４５）、フォリスタチン（配列番号４７）、またはバンビ（配列番号５３）の少なくとも１４ヌクレオチド長連続する配列と同じ配列を有するか、またはこれらに相補的な配列からなる配列領域を含む核酸セグメントは、特定の有用性を見出すことが企図される。より長く、連続した、同一または相補的な配列（例えば、約２０、３０、４０、５０、１００、２００、５００、１０００ヌクレオチド（全ての中間の長さを含む）の配列）、約１５４７ヌクレオチド（ＢＭＰ−２Ａについて）、１９４６ヌクレオチド（ＢＭＰ−４について）、２１５３ヌクレオチド（ＢＭＰ−５について）および１８７８ヌクレオチド（ＢＭＰ−７について）、２９３２ヌクレオチド（ＢＭＰ−ＲＩＡについて）、２０３２ヌクレオチド（ＢＭＰ−ＲＩＢについて）、３６１１ヌクレオチド（ＢＭＰ−ＲＩＩについて）、３５６１ヌクレオチド（コーディンについて）、４０４９ヌクレオチド（グレムリンについて）、１３８６ヌクレオチド（フォリスタチンについて）、および１５２３ヌクレオチド（バンビについて）の全長配列までさえもまた、ある実施形態において使用される。
【００２８】
この文脈における「中間の長さ」は、引用された範囲（例えば、１４、１５、１６、１７、１８、１９、２０など；２１、２２、２３など；３０、３１、３２など；５０、５１、５２、５３など；１００、１０１、１０２、１０３など；１５０、１５１、１５２、１５３など；２００〜５００；５００〜１，０００；１，０００〜２，０００の範囲の全てを含み、そして、２，００１、２，００２、２，０５０、２，０５１などの配列までおよびそれらを含む）の間の任意の長さを意味することが容易に理解される。
【００２９】
このような核酸プローブおよび核酸プライマーがＢＭＰコード配列に特異的にハイブリダイズする能力、ならびにプライマーがＢＭＰ配列を特異的に増幅する能力により、所与のサンプル中の相補配列の存在の検出において、それらが使用可能となる。ところが、変異種のプライマーの調製のための配列情報の使用、または他の遺伝的構築物の調製における使用のためのプライマーの使用を含む、他の使用が想定される。
【００３０】
ＢＭＰ−２Ａ（配列番号１）、ＢＭＰ４（配列番号３）、ＢＭＰ−５（配列番号５）、ＢＭＰ７（配列番号７）、ＢＭＰ−ＲＩＡ（配列番号３７）、ＢＭＰ−ＲＩＢ（配列番号３９）、ＢＭＰ−ＲＩＩ（配列番号４１）、コーディン（配列番号４３）、グレムリン（配列番号４５）、フォリスタチン（配列番号４７）またはバンビ（配列番号５３）と同一かもしくは相補的な、１０、２０、３０、５０、またはちょうど１００〜２００ヌクレオチドなどの連続するヌクレオチドストレッチからなる配列領域を有する核酸分子は、、例えばサザンブロッティングおよびノザンブロッティングに加えて、ＳＮＰ評価および固相ハイブリダイゼーションアッセイにおける使用のための、ハイブリダイゼーションプローブとして特に企図される。これにより、組織および細胞の両方におけるＢＭＰの構造遺伝子または調節遺伝子の解析が可能となる。フラグメントの全サイズならびに相補的ストレッチのサイズは、特定の核酸セグメントの適用について意図する使用に最終的に依存する。より小さいフラグメントは、一般に、ハイブリダイゼーション実施形態における使用を見出す。ここで、連続する相補的な領域の長さは、変化し得る（例えば、約１０ヌクレオチドと約１００ヌクレオチドとの間）しかし、約１５４７ヌクレオチド（ＢＭＰ−２Ａについて）、１９４６ヌクレオチド（ＢＭＰ−４について）、２１５３ヌクレオチド（ＢＭＰ−５について）、ならびに１８７８ヌクレオチド（ＢＭＰ−７について）、２９３２ヌクレオチド（ＢＭＰ−ＲＩＡについて）、２０３２ヌクレオチド（ＢＭＰ−ＲＩＢについて）、３６１１ヌクレオチド（ＢＭＰ−ＲＩＩについて）、３５６１ヌクレオチド（コーディンについて）、４０４９ヌクレオチド（グレムリンについて）、１３８６ヌクレオチド（フォリスタチンについて）、１５２３ヌクレオチド（バンビについて）までの、より長い連続する相補的ストレッチが、検出したいと望む相補的配列の長さに従って使用され得る。
【００３１】
約１０〜１４ヌクレオチド長のハイブリダイゼーションプローブの使用により、安定かつ選択的な二重鎖分子の形成が可能である。１０塩基長を越えるストレッチにわたる連続する相補的配列を有する分子が一般に好ましいが、ハイブリッドの安定性および選択性を高め、それによって得られる特異的なハイブリッド分子の質および程度を改善するために、一般に、１５〜２０連続するヌクレオチドの遺伝子相補的なストレッチを有するか、または所望される場合、さらに長い核酸分子を設計することが好まれる。
【００３２】
ハイブリダイゼーションプローブは、本明細書中に開示される任意の配列のいずれの部分からも選択され得る。配列番号１、配列番号３、配列番号５、配列番号７、配列番号３７、配列番号３９、配列番号４１、配列番号４３、配列番号４５、配列番号４７または配列番号５３に示される配列を検討すること、ならびにプローブまたはプライマーとしての利用が望まれる、約１０ヌクレオチド長から、全長配列までを含むまでの配列の任意の連続する部分を選択することが必要なだけである。プローブ配列およびプライマー配列の選択は、様々な因子によって左右され得る（例えば、例示のみとして、さらなるＤＮＡを増幅するために、全配列の終点に向かうプライマーまたは、機能的ドメインコード配列の末端からのプライマ−の設計が望まれ得る）。
【００３３】
ＢＭＰ−２Ａ（配列番号１）、ＢＭＰ４（配列番号３）、ＢＭＰ−５（配列番号５）、ＢＭＰ７（配列番号７）、ＢＭＰ−ＲＩＡ（配列番号３７）、ＢＭＰ−ＲＩＢ（配列番号３９）、ＢＭＰ−ＲＩＩ（配列番号４１）、コーディン（配列番号４３）、グレムリン（配列番号４５）、フォリスタチン（配列番号４７）またはバンビ（配列番号５３）内由来の連続する配列を含む核酸セグメントを選択および調製する工程は、核酸フラグメントを調製するとして代替的に記載されている。もちろん、フラグメントはまた、他の技術によって（例えば、機械的剪断または、制限酵素消化によって）獲得され得る。小さな核酸セグメントまたはフラグメントは、例えば、自動化されたオリゴヌクレオチド合成装置の使用によって一般に実行されるような、化学的手段によるフラグメントの直接的な合成によって容易に調製され得る。また、フラグメントは、核酸再生成技術（例えば、米国特許第４，６８３，２０２号および同第４，６８２，１９５号（各々は、参照として上記に記載される）のＰＣＲＴＭ技術）の適用によって、組換え生成のために選択した配列を組換えベクターに導入することによって、ならびに分子生物学の分野の当業者に一般に公知の他の組換えＤＮＡ技術によって、獲得され得る。
【００３４】
従って、本発明のヌクレオチド配列は、ＢＭＰの遺伝子またはｃＤＮＡの相補的なストレッチとの二重鎖分子を選択的に形成するその能力のために、使用され得る。想定される適用に依存して、標的配列に対するプローブの選択性を様々な程度にするために、様々な程度のハイブリダイゼーションの選択性を使用することが所望される。高い選択性を必要とする適用について、ハイブリッドを形成するために、比較的ストリンジェントな条件を使用することが代表的に所望される（例えば、比較的低い塩および／または高い温度条件（例えば、５０℃〜７０℃の温度で０．０２Ｍ〜０．１５ＭのＮａＣｌによって提供される）を選択する）。このような選択的条件は、もしあったとしてもプローブと鋳型または標的鎖との間のミスマッチをほとんど許容せず、そして特にＢＭＰ遺伝子の解析に適切である。
【００３５】
もちろん、いくつかの適用のために、例えば基礎をなす鋳型にハイブリダイズした変異プライマー鎖を使用する変異体の調製または同定を所望する場合、あるいは関連する種由来のＢＭＰコード配列、機能的同等物などを単離することを求める場合、あまりストリンジェントでないハイブリダイゼーション条件が、ヘテロ二重鎖の形成を可能にするために代表的に必要とされる。これらの状況下で、条件（例えば、０．１５Ｍ〜１．０Ｍの塩、２０℃〜５５℃の範囲にある温度）を使用することが所望され得る。それにより、交差ハイブリダイズする種は、コントロールハイブリダイゼーションに関連してポジティブにハイブリダイズするシグナルとして、容易に同定され得る。いずれの場合においても、条件は、ＮａＣｌ濃度を低くすることによって、または温度の上昇と同じ様式でハイブリッド二重鎖を不安定化するように作用するホルムアミドの斬新量を添加することによって、よりストリンジェントにされ得ることが一般に理解される。このように、ハイブリダイゼーション条件は容易に操作され得、従って一般に、所望される結果に依存する選択の方法である。
【００３６】
ある実施形態において、ハイブリダイゼーションを決定するための適切な手段（例えば、標識）と組み合わせて本発明の核酸配列を使用することは有益である。様々な種類の適切な指示手段は、当該分野で公知であり、これには蛍光、放射性、酵素的または他のリガンド（例えば、アビジン／ビオチン）が挙げられ、これらは、検出可能なシグナルを生じ得る。好ましい実施形態においては、放射性または他の環境的に所望されない試薬の代わりに、蛍光標識または酵素タグ（例えば、ウレアーゼ、アルカリホスファタ−ゼまたはペルオキシダーゼ）を使用することが所望される傾向にある。酵素タグの場合、ヒトの眼または吸収分光測光計で見ることができる手段を提供して、相補的核酸含有サンプルとの特異的ハイブリダイゼーションを同定するために使用され得る比色指示基質は公知である。
【００３７】
一般に、本明細書に記載されたハイブリダイゼーションプローブは、溶液ハイブリダイゼーションならびに固相を使用する実施形態の両方において試薬として有用であると想定される。固相を含む実施形態において、試験ＤＮＡ（またはＲＮＡ）は、吸収されるか、または他の方法で、選択されたマトリックスもしくは表面に結合する。この固定された一本鎖の核酸は、その後、所望される条件下で、選択されたプローブとの特異的なハイブリダイゼーションに供される。この選択された条件は、必要とされる特定の基準に基づく特定の環境に依存する（例えば、Ｇ＋Ｃ含有量、標的核酸のタイプ、核酸の供給源、ハイブリダイゼーションプローブのサイズなどに依存する）。非特異的に結合したプローブ分子を除くためのハイブリダイズ表面の洗浄に続いて、標識によって、特異的ハイブリダイゼーションは検出されるか、またはさらに測定される。
【００３８】
本発明は、ＢＭＰ−２Ａ（配列番号１）、ＢＭＰ４（配列番号３）、ＢＭＰ−５（配列番号５）、ＢＭＰ７（配列番号７）、ＢＭＰ−ＲＩＡ（配列番号３７）、ＢＭＰ−ＲＩＢ（配列番号３９）、ＢＭＰ−ＲＩＩ（配列番号４１）、コーディン（配列番号４３）、グレムリン（配列番号４５）、フォリスタチン（配列番号４７）またはバンビ（配列番号５３）の特定の核酸配列コピーおよびアミノ酸に限定されないこともまた理解される。組換えベクターおよび単離されたＤＮＡセグメントは、従って、ＢＭＰコード領域自体、遺伝子の上流領域または下流領域、選択された変化または改変を基本的なコード領域中に有するコード領域を様々に含み得るか、あるいは、それにもかかわらずＢＭＰコード領域を含むより大きなペプチドをコードし得るかまたは、改変体アミノ酸配列を有する生物学的に機能的な等価なタンパク質もしくはポリペプチドをコードし得る。
【００３９】
本発明のＤＮＡセグメントは、生物学的に機能的な等価なＢＭＰタンパク質およびポリペプチドを包含する。このような配列は、コドン縮重および機能的等価性の結果として生じ得、これらは核酸配列およびこのようにコードされるタンパク質内に天然に存在するものであることが公知である。あるいは、機能的に等価なタンパク質またはポリペプチドは、タンパク質構造における変化が、交換されるアミノ酸の特性の考慮に基づいて操作され得る組換えＤＮＡ技術の適用を通じて作製され得る。人為的に設計された変化は、部位特異的変異誘発技術の適用を通して、例えば、タンパク質の抗原性に改善を導入するため、または分子レベルでの結合活性を試験するためにＢＭＰ変異を試験するために導入され得る。
【００４０】
緑内障の処置のための治療剤は、ペプチドまたはタンパク質、ペプチド模倣物、オリゴヌクレオチドまたは誘導体化オリゴヌクレオチド、あるいは薬物様の低分子であり得、その全てが、眼のＢＭＰ経路の１つ以上の局面に影響する。好ましい治療剤は以下である：（１）ＢＭＰ２アゴニスト、ＢＭＰ４アゴニスト、ＢＭＰ５アゴニスト、またはＢＭＰ７アゴニスト；（２）コーディンアンタゴニスト、グレムリンアンタゴニスト、フォリスタチンアンタゴニスト、またはバンビアンタゴニスト；および／あるいは（３）Ｓｍａｄ１アゴニスト、Ｓｍａｄ５アゴニスト、および／またはＳｍａｄ４アゴニスト。
【００４１】
この薬剤は、当業者に周知の技術を使用することで、直接的に眼に送達され得る（例えば、局所的点眼薬または軟膏；盲嚢中、のあるいは強膜に隣接してかまたは眼内に移植された徐放デバイス；眼周囲、結膜、サブテノン（ｓｕｂ−Ｔｅｎｏｎｓ）、眼房内（ｉｎｔｒａｃａｍｅｒａｌ）または硝子体内注射）か、あるいは非経口的に（例えば：経口；静脈内、皮下または筋内注射；皮膚送達など）。以下は、本発明によって具体化される可能な処方物の例示である。
（ａ）局所的な眼用処方                    重量％
眼のＢＭＰ−４の発現を上昇させる薬剤      ０．０１〜２
ＨＰＭＣ                                  ０．５
塩化ナトリウム                            ０．８
ＢＡＣ                                    ０．０１
ＥＤＴＡ                                  ０．０１
ＮａＯＨ／ＨＣｌ                          ｑｓ  ｐＨ７．４
精製水                                    ｑｓ  １００ｍＬ
（ｂ）局所的な眼用処方                  重量％
グレムリンアンタゴニスト              ０．０１〜２
ＨＰＭＣ                                ０．５
塩化ナトリウム                          ０．８
ＢＡＣ                                  ０．０１
ＥＤＴＡ                                ０．０１
ＮａＯＨ／ＨＣｌ                        ｑｓ  ｐＨ７．４
精製水                                  ｑｓ  １００ｍＬ
（ｃ）局所的な眼用処方                  重量％
Ｓｍａｄ１／５アゴニスト                ０．０１〜２
ＨＰＭＣ                                ０．５
塩化ナトリウム                          ０．８
ＢＡＣ                                  ０．０１
ＥＤＴＡ                                ０．０１
ＮａＯＨ／ＨＣｌ                        ｑｓ  ｐＨ７．２
精製水                                  ｑｓ  １００ｍＬ
本発明の化合物は、眼内挿入デバイス中で処方されることがさらに企図される。
【００４２】
（Ａ．治療剤についてのアッセイ）
本発明はまた、ＢＭＰシグナル伝達経路に関与する新しい抗緑内障治療剤の発見のために有用である（図５を参照のこと）。選択的ＢＭＰリガンドは、ＢＭＰ  Ｉ型およびＢＭＰ  ＩＩ型セリン／スレオニンキナーゼレセプター（ＢＭＰ−ＲＩおよびＢＭＰ−ＲＩＩ）に結合し、そしてＳｍａｄタンパク質を介してシグナルを伝達する。ＢＭＰシグナルは、タンパク質−タンパク質相互作用およびタンパク質−ＤＮＡ相互作用を介して、Ｓｍａｄによって伝搬される（ＡｔｔｉｓａｎｏおよびＴｕｅｎ  Ｌｅｅ−Ｈｏｅｆｌｉｃｈ  ２００１）。調節的Ｓｍａｄ１およびＳｍａｄ５は、ＢＭＰレセプターへのリガンドの結合によって（リン酸化を介して）活性化される（ｖｏｎ  ＢｕｂｎｏｆｆおよびＣｈｏ  ２００１）。これらの調節的Ｓｍａｄは、その後、Ｓｍａｄ４と相互作用して、核に転移するヘテロマー複合体を形成する。この複合体は、どの核補助因子が存在するかに依存して、この転写複合体を認識する選択的遺伝子の転写を活性化することまたは抑制することが可能である。
【００４３】
ＢＭＰ／Ｓｍａｄシグナル伝達経路は、いくつかの機構によってネガティブに調節される。あるＢＭＰ結合性タンパク質（例えば、グレムリン、ＢＡＭＢＩ、またはフォリスタチン）は、ＢＭＰを結合し、そしてＢＭＰレセプターとのそれらの相互作用を阻害する。さらに、阻害性Ｓｍａｄタンパク質（例えば、Ｓｍａｄ６およびＳｍａｄ７）が存在し、これらはＢＭＰレセプターを結合して不活性化させる（Ｋｏｗａｂａｔａら、１９９８；Ｉｔｏｈら、２０００；Ｍｉｙａｚｏｎｏ  ２０００）。本発明者らは、ヒトＴＭ細胞、ＯＮＨ星状細胞および相篩板細胞が、ＢＭＰレセプター複合体についてのメッセージおよびタンパク質を発現することを発見している。従って、これらの細胞は、内因性のＢＭＰリガンドに応答し得る。
【００４４】
様々な方法が、新しい抗緑内障治療剤を発見するために使用され得、そしてこれらの技術は当業者に周知である。例えば、ＢＭＰのアゴニストまたはインヒビターとして働くペプチドまたはペプチド模倣剤は、ＢＭＰ／ＢＭＰレセプター構造の分子モデリングによって発見され得る（Ｎｉｃｋｅｌら、２００１）。ＢＭＰシグナル伝達は、Ｓｍａｄタンパク質の選択されたセットを含む（Ｋａｗａｂａｔａら、１９９８；Ｉｔｏｈら、２０００；Ａｔｔｉｓｅｎｏら、２０００）。選択されたＢＭＰアゴニストおよびＳｍａｄアゴニストは、細胞ベースのアッセイを使用して発見され得る。試験細胞は、適切なＢＭＰレセプターを発現するべきであり、適切なＢＭＰシグナル伝達経路を所有するべきである。ＢＭＰシグナル伝達の主な影響の１つは、遺伝子発現の変化であるので、ＢＭＰアゴニストおよびＳｍａｄアゴニストは、ＢＭＰ誘導性遺伝子についてのスクリーニングによって発見され得る。ＢＭＰ調節性遺伝子の誘導はまた、定量的ＲＴ−ＰＣＲ（Ｗａｎｇら、２００１）、ＤＮＡマイクロアレイ、またはレポーター遺伝子構築物を使用することによって、ｍＲＮＡのレベルを定量してアッセイされ得る。ＢＭＰシグナル伝達、ＢＭＰ結合タンパク質（ＢＭＰ関連タンパク質としても公知）（例えば、コーディン、グレムリン、およびフォリスタチン）の天然のインヒビターが存在する。タンパク質インヒビターのアンタゴニストは、リガンド結合アッセイを用いて発見され得る。例えば、試験薬剤は、組み換え精製グレムリンに付加され得、そしてグレムリンに結合するこれら薬剤は、当業者に公知の様々な技術を使用することで同定される。これらの薬剤がグレムリンアンタゴニストであるか否かを決定するために、上記で記載したアッセイと類似の細胞ベースのアッセイが使用される。
【００４５】
任意の公知のインビトロおよびインビボのスクリーニングモデルは、本発明と組み合わせて、ＢＭＰファミリーの遺伝子に関する新しい緑内障治療を同定するために使用され得ることが企図される。このようなモデルは当業者にとって周知であり、それらの実施は決まりきった仕事になる。小さいペプチドまたはペプチド模倣物は、ＢＭＰ、ＢＭＰＲおよび／またはＢＭＰ結合タンパク質の遺伝子産物の構造／機能の知識に基づいて設計され得る。リガンド結合アッセイは、ＢＭＰ、ＢＭＰＲまたはＢＭＰ結合タンパク質に結合する低分子の検出に使用され得る。細胞ベースのアッセイにより、ＢＭＰシグナル伝達経路に対する様々な薬剤の影響を見ることができ得る。レポーター遺伝子に連結されたＢＭＰファミリー遺伝子プロモーターを含むノック−イン細胞株は、ＢＭＰファミリーメンバーの遺伝子発現を変化させる薬剤を探索するために作製され得る。これらのアッセイは、アゴニスト分子およびアンタゴニスト分子の両方の同定に使用され得る。エキソビボアッセイ（例えば、灌流培養されたヒトの眼由来の前方区画の（Ｃｌａｒｋら、１９９５ａ；Ｐａｎｇら２０００））は、ＴＭ組織におけるＩＯＰおよびＢＭＰシグナル伝達に対する薬剤の影響を試験するために使用され得る。緑内障のげっ歯類モデルは、マウスおよびラットの、安定なＢＭＰファミリーメンバーのトランスジェニック株、ノックアウト株、またはノックイン株を作製するための周知の技術を使用して作製され得る。これらのげっ歯類モデルは、緑内障様の表現型を変化させる薬剤についてスクリーニングするために使用され得る（例えば、ＩＯＰに対する影響を評価するための限圧測定、緑内障の目の神経学に対する影響を評価するための組織学）。
【００４６】
（Ｂ．キット）
本発明は、緑内障の初期検出のための方法、化合物およびキットを提供する。このキットは、ＢＭＰポリペプチドまたはＢＭＰタンパク質をコードする核酸セグメントを含み得る。このキットはさらに、サンプルと本発明の核酸またはペプチドとの間の相互作用を検出するための試薬を含み得る。提供された試薬は、放射性標識化、蛍光標識化、または酵素的標識化され得る。このキットは、本発明の核酸またはペプチドもしくはタンパク質と結合または相互作用し得る、公知の放射性標識された薬剤を含み得る。
【００４７】
キットの試薬は、液体溶液としてか、固体支持体に結合してかまたは乾燥した粉末として提供され得る。好ましくは、試薬が液体溶液中に提供される場合、この液体溶液は水溶液である。好ましくは、提供される試薬が固体支持体に結合する場合、この固体支持体はクロマトグラフィー媒体、複数のウェルを有する試験プレート、あるいは顕微鏡スライドであり得る。提供される試薬が乾燥した粉末である場合、この粉末は、提供され得る適切な溶媒の添加によって再び構成され得る。
【００４８】
なお、さらなる実施形態において、本発明は、緑内障の診断のための診断方法、および関連するキットに関する。本発明のＢＭＰ関連のペプチドおよび核酸は、患者のサンプル由来のＢＭＰ核酸における多型または変異を検出するために使用され得ることが提案される。一般に、これらの方法は、このような多型または変異を含むことが疑われるサンプルを最初に獲得する工程、本発明のペプチドまたは核酸とこのサンプルとを接触させる工程、（この場合には、複合体を形成させるのに有効な条件下であり得る）、および次いで複合体の存在を検出する工程を包含する。
【００４９】
一般に、複合体形成の検出は当該分野で周知であり、多数のアプローチの適用を通して成し遂げられ得る。例えば、本発明は、ＥＬＩＳＡ、ＲＩＡ、間接的蛍光技術などの適用を企図する。概して、複合体形成は、標識（例えば、放射性標識または酵素タグ（例えば、アルカリホスファターゼ、西洋ワサビペルオキシダーゼなど）の使用を通して検出される。もちろん、二次結合リガンドの使用によってさらなる利益を見出し得る。
【００５０】
以下の実施例は、本発明の局面の実行において本発明者らによって使用される技術を示す。これらの技術が、本発明を実施するための好ましい実施形態の例示であることは、本開示を鑑みて当業者に認識されるべきであり、多数の改変が、本発明の精神および意図される範囲から逸脱することなくなされ得ることが認識される。
【実施例】
【００５１】
（実施例１）
細胞培養：ヒトＴＭ細胞およびＯＮＨ細胞を、ドナーの眼から記載されるように生成した（Ｓｔｅｅｌｙら、１９９２；Ｓｔｅｅｌｙら、２０００；Ｗｉｌｓｏｎら、１９９３；Ｃｌａｒｋら、１９９４；Ｃｌａｒｋら、１９９５ｂ；Ｃｌａｒｋら、１９９５ｃ；Ｃｌａｒｋら、１９９６；Ｃｌａｒｋら、２００１ａ；Ｃｌａｒｋら、２００１ｂ；Ｄｉｃｋｅｒｓｏｎら、１９９８；Ｗｏｒｄｉｎｇｅｒら、１９９８；Ｗｏｒｄｉｎｇｅｒら、１９９９；Ｗｏｒｄｉｎｇｅｒら、２０００；Ｗｏｒｄｉｎｇｅｒら、２００２；Ｌａｍｂｅｒｔら、２００１；Ａｇａｒｗａｌら、１９９９；Ｌｉｕら、２００１）。ＴＭ細胞を、年齢６日齢から９０歳の範囲のドナーのＴＭ外移植体から増殖させた。ヒト視神経乳頭星状細胞および篩板（ＬＣ）細胞を、慎重に解剖した視神経乳頭（２日齢〜９０歳までの年齢のドナー）から生成し、そして以前の報告に従って特徴付けた（Ｌａｍｂｅｒｔら、２００１；Ｃｌａｒｋら、１９９５ａ）。細胞を、以下の培地：ＴＭ細胞については１０％ウシ胎仔血清（ＨｙＣｌｏｎｅ，Ｌｏｇａｎ，ＵＴ）および抗生物質（Ｇｉｂｃｏ  ＢＲＬ−Ｌｉｆｅ  Ｔｅｃｈｎｏｌｏｇｉｅｓ，Ｇｒａｎｄ  Ｉｓｌａｎｄ，ＮＹ）を含むＨａｍ’ｓ  Ｆ１０培地（ＪＲＨ  Ｂｉｏｓｃｉｅｎｃｅｓ、Ｌｅｎｅｘａ、ＫＳ）；ＬＣ細胞については１０％ＦＢＳを含むダルベッコ改変イーグル培地（ＤＭＥＭ，ＨｙＣｌｏｎｅ）；そしてＯＮＨ星状細胞については５％ＦＢＳを含む星状細胞増殖培地（ＡＧＭ，Ｃｌｏｎｅｔｉｃｓ，Ｓａｎ  Ｄｉｅｇｏ，ＣＡ）内で、コンフルエントまで増殖させた。
【００５２】
ＲＴ−ＰＣＲ：ヒトＴＭ組織およびＯＮＨ組織もまた、ドナーの眼から解剖した（Ｗｏｒｄｉｎｇｅｒら、１９９８；Ｗａｎｇら、２００１）。全ＲＮＡをＴＭ細胞およびＴＭ組織ならびにＯＮＨ細胞およびＯＮＨ組織から、ＴＲＩｚｏｌ抽出（Ｇｉｂｃｏ  ＢＲＬ−Ｌｉｆｅ  Ｔｅｃｈｎｏｌｏｇｉｅｓ）を使用して抽出し、そしてｃＤＮＡを標準的な手順（Ｗｏｒｄｉｎｇｅｒら、１９９８；Ｗｏｒｇｉｎｇｅｒら、１９９９；Ｗｏｒｇｄｉｎｇｅｒら、２０００；Ｗｏｒｄｉｎｇｅｒら、２００２）を使用して逆転写によって調製した。ＰＣＲプライマーを、Ｏｌｉｇｏｓ  ４．０ソフトウェアプログラムを使用して設計した（表１のプライマー対を参照のこと）。全てのプライマー対を、潜在的に混入したゲノムＤＮＡ配列の増幅が予想される産物よりも実質的に長いｍＲＮＡ  ＰＣＲ産物を生じるように設計した。なぜなら、ＲＮＡプロセシングの間に切除されるイントロン配列が、ゲノムＤＮＡに含まれるからである。β−アクチンＰＣＲプライマーＡＧＧＣＣＡＡＣＣＧＣＧＡＧＡＡＧＡＴＧＡＣＣ（上流）およびＧＡＡＧＴＣＣＡＧＧＧＣＧＡＣＧＴＡＧＣＡＣ（下流）と、５５℃アニーリング温度とにより、３５０ｂｐのＰＣＲ産物を得た。
【００５３】
ＰＣＲ反応を、Ｔａｑ  Ｓｔａｒｔ  Ａｎｔｉｂｏｄｙ  Ｈｏｔ  Ｓｔａｒｔを以下：９４℃で２分間、９２℃で２分間、そして（最適なアニーリング温度で３０秒間、７２℃で９０秒間の伸長、９２℃で４５秒間の変性）×４０サイクルのサイクル条件を使用して、記載されたように実行した（Ｗｏｒｄｉｎｇｅｒら、１９９８；Ｗｏｒｄｉｎｇｅｒら、１９９９；Ｗｏｒｄｉｎｇｅｒら、２０００；Ｌａｍｂｅｒｔら、２００１；Ｗｏｒｄｉｎｇｅｒら、２００２）。増幅したＰＣＲ産物を、１．５％アガロースゲルで水平な電気泳動によって試験した。ＲＴ−ＰＣＲ産物の特異性を確実にするために、増幅したＰＣＲ産物内の領域にハイブリダイズする、Ｏｌｉｇｏ  ４．０を用いて設計したプローブを使用して、サザンブロット解析を実行した。ＰＣＲ反応の特異性を証明するために、ＰＣＲ産物を配列決定した。表２は、ヒトＴＭおよびＯＮＨで発現しているＢＭＰファミリーのメンバーを列挙している。
【００５４】
【表１】
2005518788.tif 000002
【００５５】
【表２】
2005518788.tif 000003
ウェスタンイムノブロッティング：タンパク質を、溶解緩衝液を使用して培養細胞から抽出し、そしてタンパク質を、ニトロセルロースメンブレンへの電気泳動的な移動に先立って、変性ポリアクリルアミドゲル電気泳動によって分離した（Ｌａｍｂｅｒｔら、２００１）。メンブレンを、５％ミルク（ＢＭＰについて）または３％ゼラチン（ＢＭＰＲについて）でブロッキングし、そして以下の一次抗原：ＢＭＰ２、ＢＭＰ４、ＢＭＰ５、ＢＭＰ７（すべてＳａｎｔａ  Ｃｒｕｚ，Ｓａｎｔａ  Ｃｒｕｚ，ＣＡから）、あるいはＢＭＰ−ＲＩＡ、ＢＭＰ−ＲＩＢ、ＢＭＰ−ＲＩＩ（Ｊａｃｋｓｏｎ  Ｉｍｍｕｎｏ  Ｒｅｓｅａｒｃｈ，Ｗｅｓｔ  Ｇｒｏｖｅ，ＰＡから）と共にインキュベートした。メンブレンを洗浄し、二次抗体（ＢＭＰについてヤギ抗マウスＩｇＧ−西洋ワサビペルオキシダーゼ、Ｓａｎｔａ  Ｃｒｕｚ；ＢＭＰレセプターについてロバ抗ヤギ−西洋ワサビペルオキシダーゼ、Ｊａｃｋｓｏｎ  Ｉｍｍｕｎｏ  Ｒｅｓｅａｒｃｈ）と共にインキュベートし、そしてＷｅｓｔｅｒｎＢｒｅｅｚｅ化学発光免疫検出システム（Ｉｎｖｉｔｒｏｇｅｎ，Ｃａｒｌｓｂａｄ，ＣＡ）を使用して現像した。
【００５６】
ヒトのＴＭ細胞およびＴＭ組織におけるＢＭＰ、ＢＭＰＲ  ｍＲＮＡの発現：ヒトのＴＭ細胞およびＴＭ組織においてＢＭＰ−２プライマー対、ＢＭＰ−４プライマー対、ＢＭＰ−５プライマー対およびＢＭＰ−７プライマー対についての予想された増幅産物は、図６に示される。特異的プローブを使用したサザンブロットによって、これらが予想されたＰＣＲ産物であることが証明された。全てのヒトＴＭ細胞株および組織は、ＢＭＰ−２、ＢＭＰ−４、およびＢＭＰ−７のメッセージを発現した。ところが、ＢＭＰ−５のメッセージは、ヒトＴＭ組織サンプルにおいて検出されないくらい低いものであった（図６、レーン６およびレーン７）。ｃＤＮＡ無しのコントロール反応は、増幅産物を生じず、試薬およびプライマーには、ＤＮＡもＲＮＡも混入しれていなかったことを示す（図６、レーンＣ）。
【００５７】
図７は、ヒトのＴＭ細胞およびＴＭ組織においてＢＭＰ−ＲＩＡプライマー対、ＢＭＰ−ＲＩＢプライマー対、およびＢＭＰ−ＲＩＩプライマー対についての予想されたサイズの増幅産物を示す。全てのヒトＴＭ細胞およびヒトＴＭ組織は、ＢＭＰレセプター複合体のメッセージを発現した。特異的なプローブを使用したサザンブロットによって、これらが予想されたＰＣＲ産物であることが証明された。代替的な増幅産物（３５０ｂｐ）は、ＢＭＰ−ＲＩＩ  ＰＣＲ反応において検出された。その代替的な増幅産物は、全てのヒトＴＭ細胞およびヒトＴＭ組織において存在していた。この代替的なバンドは現在、選択的にスプライスされた型のレセプターであるか否かを決定するために同定中である。ｃＤＮＡ無しのコントロール反応は増幅産物を生じず（図７、レーンＣ）このことは、試薬およびプライマーには、ＤＮＡもＲＮＡも混入していなかったことを示す。
【００５８】
ヒトＯＮＨ細胞およびＯＮＨ組織におけるＢＭＰおよびＢＭＰレセプターｍＲＮＡの発現：ヒトＯＮＨ星状細胞およびＯＮＨ組織における、ＢＭＰ−２プライマー対、ＢＭＰ−４プライマー対、ＢＭＰ−５プライマー対およびＢＭＰ−７プライマー対についての予想されたサイズの増幅産物は、図８に示される。全てのＯＮＨ星状細胞およびＯＮＨ組織は、それぞれのＢＭＰのメッセージを発現した。ヒト脳星状細胞を、ポジティブコントロール細胞株として使用した。特異的プローブを使用したサザンブロットによって、これらが予想されたＰＣＲ産物であることが証明された。ＢＭＰ−２以外の、全ての他のＢＭＰは、ヒト脳星状細胞により発現された（図８、レーン７）。ｃＤＮＡ無しのコントロール反応は、増幅産物を生じず（図８、レーンＣ）、試薬およびプライマーには、ＤＮＡもＲＮＡも混入していなかったことを示す。
【００５９】
図９は、培養ヒトＬＣ細胞における、ＢＭＰ−２プライマー対、ＢＭＰ−４プライマー対、ＢＭＰ−５プライマー対およびＢＭＰ−７のプライマー対についての予想されたサイズの増幅産物を示す。全てのＬＣ細胞株は各々のＢＭＰのメッセージを発現した。特異的なプローブを使用したサザンブロットによって、これらが予想されたＰＣＲ産物であることが証明された。ｃＤＮＡ無しのコントロール反応は増幅産物を生じず（図９、レーンＣ）このことは、試薬およびプライマーには、ＤＮＡもＲＮＡも混入していなかったことを示す。
【００６０】
ヒトＯＮＨ星状細胞およびＯＮＨ組織における、ＢＭＰ−ＲＩＡ、ＢＭＰ−ＲＩＢおよびＢＭＰ−ＲＩＩのプライマー対についての予想されたサイズの増幅産物は、図１０に示される。全てのＯＮＨ星状細胞およびＯＮＨ組織は、ＢＭＰ−ＲＩＡおよびＢＭＰ−ＲＩＢのメッセージを発現した。特異的プローブを使用したサザンブロットによって、これらが予想されたＰＣＲ産物であることが証明された。ＯＮＨ組織（図１０、レーン６）以外の全てのＯＮＨ星状細胞細胞株によってＢＭＰ−ＲＩＩが発現された。全てのＢＭＰレセプターのメッセージ（図１０、レーン７）が、ポジティブコントロールとして働くヒト脳星状細胞細胞株により発現された。ＯＮＨ組織およびＯＮＨ細胞株におけるＢＭＰ−ＲＩＩの発現には食い違いが存在するようであった。ＯＮＨ組織での発現の減少は、発現の低いレベルを反映し得る。ｃＤＮＡ無しのコントロール反応は、増幅産物を生じず（図５、レーンＣ）、試薬およびプライマーにはＤＮＡもＲＮＡも混入していなかったことを示す。
【００６１】
図１１は、培養ヒトＬＣ細胞における、ＢＭＰ−ＲＩＡ、ＢＭＰ−ＲＩＢ、およびＢＭＰ−ＲＩＩのプライマー対についての予想されたサイズの増幅産物を示す。全てのＬＣ細胞株は、各々のＢＭＰレセプターのメッセージを発現した。特異的なプローブを使用したサザンブロットによって、これらが予想されたＰＣＲ産物であることが証明された。ｃＤＮＡ無しのコントロール反応は増幅産物を生じず（図１１、レーンＣ）このことは、試薬およびプライマーには、ＤＮＡもＲＮＡも混入していなかったことを示す。
【００６２】
ヒトＴＭ細胞およびＴＭ組織ならびにＯＮＨ細胞およびＯＮＨ組織におけるＢＭＰタンパク質およびＢＭＰレセプタータンパク質の発現：図１２は、ヒトＴＭ細胞およびＴＭ組織ならびにＯＮＨ細胞およびＯＮＨ組織におけるＢＭＰ−２、ＢＭＰ−４、ＢＭＰ−５、ＢＭＰ−７、ＢＭＰ−ＲＩＡ、ＢＭＰ−ＲＩＢ、およびＢＭＰ−ＲＩＩのタンパク質の化学発光免疫ブロット検出を示す。研究した全ての細胞株は、それぞれのＢＭＰタンパク質を発現した。ＢＭＰタンパク質は、細胞株において以下の分子量：ＢＭＰ−２について５４〜５６ｋＤａ、ＢＭＰ−４について２５〜２７ｋＤａ、ＢＭＰ−５について５５〜５７ｋＤａ、およびＢＭＰ−７について７７ｋＤａで検出された。複数のバンドがＢＭＰ−２およびＢＭＰ−４について検出され、これらは、他の研究において見られるようなこれらＢＭＰのグリコシル化された型、および部分的にグリコシル化された型を示す可能性が最も高い。ところがグリコシル化の研究は、本研究の範囲を越えているので、本研究者らはグリコシル化の研究を行っていない。ＢＭＰレセプタータンパク質は、細胞株において以下の分子量：ＢＭＰ−ＲＩＡについて３８ｋＤａ、ＢＭＰ−ＲＩＢについて６４ｋＤａ、およびＢＭＰ−ＲＩＩについて５７ｋＤａで検出された。複数のバンドがＴＭ細胞においてＢＭＰ−ＲＩＢおよびＢＭＰ−ＲＩＩについて検出され、これらは、他の研究において見られるようなグリコシル化された型および、部分的にグリコシル化された型を示す可能性が最も高い。ＢＭＰレセプターのタンパク質の発現レベルは、ＯＮＨ細胞と比較してＴＭ細胞では低いようであった。例えば、ＢＭＰ−ＲＩＩは、ＴＭ細胞において検出されず、そしてＢＭＰ−ＲＩＢは大々的に減少した。
【００６３】
培養ヒトＴＭ細胞および培養ヒトＯＮＨ細胞におけるＢＭＰ関連タンパク質ｍＲＮＡの発現：ヒトＴＭ細胞株における、ＢＭＰ関連タンパク質のプライマー対について予想されたサイズの増幅産物は、図１３に示される。ヒトＴＭ細胞株は、ＤＲＭ（グレムリン）、コーディン、フォリスタチンおよびＮＭＡ（バンビ）のメッセージを発現した。特異的プローブを使用したサザンブロットによって、これらが、予想されたＰＣＲ産物であることが証明された。細胞株間でメッセージの発現において明らかな違いは無かった。試験した全てのヒトＴＭ細胞は、ＢＭＰ関連タンパク質であるノギンおよびＣｅｒ−１のｍＲＮＡを発現できなかった。ｃＤＮＡ無しのコントロール反応は、増幅産物を生じず、試薬およびプライマーにはＤＮＡもＲＮＡも混入していなかったことを示す。
【００６４】
ＯＮＨ星状細胞およびＬＣ細胞株における、ＢＭＰ関連タンパク質のプライマー対について予想されたサイズの増幅産物は、図１４に示される。全てのＯＮＨ星状細胞およびＬＣ細胞株は、ＤＲＭ（グレムリン）、フォリスタチンおよびＮＭＡ（バンビ）のメッセージを発現した。特異的プローブを使用したサザンブロットによって、これらが、予想されたＰＣＲ産物であることが証明された。大多数のＬＣ細胞およびＯＮＨ星状細胞は、コーディンのメッセージを発現した。試験した全てのヒトＯＮＨ星状細胞およびＬＳ細胞は、ＢＭＰ関連タンパク質であるノギンおよびＣｅｒ−１のｍＲＮＡを発現できなかった。ｃＤＮＡ無しのコントロール反応は、増幅産物を生じず、試薬およびプライマーには、ＤＮＡもＲＮＡも混入していなかったことを示す。
【００６５】
図１５は、緑内障のＴＭ細胞におけるＢＭＰアンタゴニストのグレムリン（ＣＫＴＳＦ１Ｂ１）の発現の上昇を示す。遺伝子発現を、Ａｆｆｙｍｅｔｒｉｘ遺伝子アレイ（Ａｆｆｙｍｅｔｒｉｘ遺伝子チップＵ１３３Ａ）を使用して評価した。
【００６６】
本明細書中で開示し、特許請求した組成物および／または方法の全ては、本開示を鑑みて過度の実験無しになされ、そして実施され得る。本発明の組成物および方法を好ましい実施形態に関して記載してきたが、本発明の概念、意図および範囲から逸脱することなく、本明細書中に記載される組成物および／または方法ならびに方法の工程または工程の順序にバリエーションが適用され得ることは、当業者にとって明らかである。より具体的には、化学的および構造的の両方で関連する特定の薬剤は、似た結果を達成するために、本明細書中に記載される薬剤の代用になり得ることが明らかである。当業者にとって明らかである全てのこのような代替物および改変物は、添付した特許請求の範囲に定義されるような、本発明の精神、範囲および概念内であると考えられる。
【００６７】
（参考文献）
以下の参考文献は、例示的な手順、または本明細書中に記載される手順に対して補助的な他の詳細を提供する程度にまで、本明細書中で参考として具体的に援用される。
（書籍）
【００６８】
【表３】
2005518788.tif 000004
2005518788.tif 000005
2005518788.tif 000006
2005518788.tif 000007
2005518788.tif 000008
2005518788.tif 000009
2005518788.tif 000010
2005518788.tif 000011
2005518788.tif 000012
2005518788.tif 000013
【図面の簡単な説明】
【００６９】
図面は、本明細書の一部を成し、そして本発明のある局面をさらに実証するために含まれる。本発明は、本明細書中に示された特定の実施形態の詳細な説明と組み合わせて、１つ以上のこれらの図面の参照によって、より良く理解され得る。
【図１】ＢＭＰ２Ａのヌクレオチド配列およびアミノ酸配列。
【図２】ＢＭＰ４のヌクレオチド配列およびアミノ酸配列。
【図３】ＢＭＰ５のヌクレオチド配列およびアミノ酸配列。
【図４】ＢＭＰ７のヌクレオチド配列およびアミノ酸配列。
【図５】骨形成タンパク質シグナル伝達経路。骨形成タンパク質は（ＢＭＰ）２量体は、セリン／スレオニンキナーゼであるＢＭＰレセプター１および２から構成される膜複合体に結合する。調節性のＳｍａｄ（Ｓｍａｄ１／Ｓｍａｄ５）は、リン酸化されそして補助Ｓｍａｄ（ｃｏ−Ｓｍａｄ）（Ｓｍａｄ４）に結合する。結果できたこのＳｍａｄ複合体は、核に入り、核で転写因子（ＴＦ）に結合し、そして遺伝子の発現を調節する。ＢＭＰ関連タンパク質は、ＢＭＰに結合し、そしてＢＭＰとＢＭＰレセプターとの相互作用を阻害することによってＢＭＰアンタゴニストとして働く。
【図６】ヒトＴＭ細胞およびヒトＴＭ組織におけるＢＭＰ発現。ヒトＴＭ細胞（レーン１〜５）およびヒトＴＭ組織（レーン６〜７）におけるＢＭＰ発現のＲＴ−ＰＣＲ解析から生成されたｃＤＮＡサンプル由来のＢＭＰ  ＰＣＲ産物のアガロースゲルの、エチジウムブロマイド染色。Ｌ＝塩基対マーカー。Ｃ＝ＰＣＲのネガティブコントロールレーン。β−アクチンを、ポジティブなＲＴ−ＰＣＲ内部コントロールとして使用した。
【図７】ヒトＴＭ細胞およびヒトＴＭ組織のＢＭＰレセプター発現。ヒトＴＭ細胞（レーン１〜５）およびヒトＴＭ組織（レーン６〜７）におけるＢＭＰレセプター発現のＲＴ−ＰＣＲ解析から生成されたｃＤＮＡサンプル由来のＰＣＲ産物のアガロースゲルのエチジウムブロマイド染色。Ｌ＝塩基対マーカー。Ｃ＝ＰＣＲのネガティブコントロールレーン。β−アクチンを、ポジティブなＲＴ−ＰＣＲ内部コントロールとして使用した。
【図８】ヒトＯＮＨ星状細胞、ヒトＯＮＨ組織およびヒト脳星状細胞におけるＢＭＰの発現。ヒトＯＮＨ星状細胞（レーン１〜５）、ヒトＯＮＨ組織（レーン６）、およびヒト脳星状細胞（レーン７）におけるＢＭＰ発現のＲＴ−ＰＣＲ解析から生成されたｃＤＮＡサンプル由来のＰＣＲ産物のアガロースゲルのエチジウムブロマイド染色。Ｌ＝塩基対マーカー。Ｃ＝ＰＣＲのネガティブコントロールレーン。β−アクチンを、ポジティブなＲＴ−ＰＣＲ内部コントロールとして使用した。
【図９】ヒト篩板細胞株におけるＢＭＰの発現。ヒト篩板細胞（レーン１〜９）のＲＴ−ＰＣＲ解析から生成されたｃＤＮＡサンプル由来のＰＣＲ産物のアガロースゲルのエチジウムブロマイド染色。Ｌ＝塩基対マーカー。Ｃ＝ＰＣＲのネガティブコントロールレーン。β−アクチンを、ポジティブなＲＴ−ＰＣＲ内部コントロールとして使用した。
【図１０】ヒトＯＮＨ星状細胞、ＯＮＨ組織およびヒト脳星状細胞におけるＢＭＰレセプターの発現。ヒト視神経乳頭星状細胞（ＯＮＨ）（レーン１〜５）、ヒトＯＮＨ組織（レーン６）およびヒト脳星状細胞（レーン７）におけるＢＭＰレセプター発現のＲＴ−ＰＣＲ解析から生成されたｃＤＮＡサンプル由来のＰＣＲ産物のアガロースゲルのエチジウムブロマイド染色。Ｌ＝塩基対マーカー。Ｃ＝ＰＣＲのネガティブコントロールレーン。β−アクチンを、ポジティブなＲＴ−ＰＣＲ内部コントロールとして使用した。
【図１１】ヒト篩板細胞株におけるＢＭＰレセプターの発現。ヒト篩板細胞（レーン１〜９）のＲＴ−ＰＣＲ解析から生成されたｃＤＮＡサンプル由来のＰＣＲ産物のアガロースゲルのエチジウムブロマイド染色。Ｌ＝塩基対マーカー。Ｃ＝ＰＣＲのネガティブコントロールレーン。β−アクチンを、ポジティブなＲＴ−ＰＣＲ内部コントロールとして使用した。
【図１２】培養ヒトＴＭ細胞、培養ヒト視神経乳頭星状細胞（ＯＮＡ）、および培養ヒト篩板細胞におけるＢＭＰおよびＢＭＰレセプターの発現のウェスタンイムノブロット。ヒト小柱網細胞（レーン１〜２）、ヒトＯＮＨ星状細胞（レーン３〜４）、およびヒト篩板細胞（レーン５〜６）におけるＢＭＰタンパク質およびＢＭＰレセプターの化学発光による検出。タンパク質サイズは、ｋＤａで示す。
【図１３】ヒトＴＭ細胞におけるＢＭＰ関連タンパク質ｍＲＮＡの発現。ヒトＴＭ細胞（レーン１〜５）のＲＴ−ＰＣＲ解析から生成されたｃＤＮＡサンプル由来のＰＣＲ産物のアガロースゲルのエチジウムブロマイド染色。Ｌ＝塩基対マーカー。Ｃ＝ＰＣＲのネガティブコントロールレーン。β−アクチンを、ポジティブなＲＴ−ＰＣＲ内部コントロールとして使用した。
【図１４】ヒト篩板細胞およびＯＮＨ星状細胞におけるＢＭＰ関連タンパク質ｍＲＭＡの発現。篩板（ＬＣ）細胞（レーン１〜７）およびＯＮＨ星状細胞（ＯＮＡ）（レーン８〜１１）のＲＴ−ＰＣＲ解析から生成されたｃＤＮＡサンプル由来のＰＣＲ産物のアガロースゲルのエチジウムブロマイド染色。Ｌ＝塩基対マーカー。Ｃ＝ＰＣＲのネガティブコントロールレーン。β−アクチンは、ポジティブなＲＴ−ＰＣＲインターナルコントロールとして使用された。
【図１５】緑内障ＴＭ細胞における、ＢＭＰアンタゴニストのグレムリン（ＣＫＴＳＦ１Ｂ１）発現の上昇の例示。遺伝子発現を、Ａｆｆｙｍｅｔｒｉｘ遺伝子アレイ（Ａｆｆｙｍｅｔｒｉｘ遺伝子チップＵ１３３Ａ）を使用して評価した。
【配列表】
2005518788.tif 000014
2005518788.tif 000015
2005518788.tif 000016
2005518788.tif 000017
2005518788.tif 000018
2005518788.tif 000019
2005518788.tif 000020
2005518788.tif 000021
2005518788.tif 000022
2005518788.tif 000023
2005518788.tif 000024
2005518788.tif 000025
2005518788.tif 000026
2005518788.tif 000027
2005518788.tif 000028
2005518788.tif 000029
2005518788.tif 000030
2005518788.tif 000031
2005518788.tif 000032
2005518788.tif 000033
2005518788.tif 000034
2005518788.tif 000035
2005518788.tif 000036
2005518788.tif 000037
2005518788.tif 000038
2005518788.tif 000039
2005518788.tif 000040
2005518788.tif 000041
2005518788.tif 000042
2005518788.tif 000043
2005518788.tif 000044
2005518788.tif 000045
2005518788.tif 000046
2005518788.tif 000047
2005518788.tif 000048
2005518788.tif 000049
2005518788.tif 000050
2005518788.tif 000051
2005518788.tif 000052
【図１ａ】
2005518788.tif 000053
【図１ｂ】
2005518788.tif 000054
【図１ｃ】
2005518788.tif 000055
【図２ａ】
2005518788.tif 000056
【図２ｂ】
2005518788.tif 000057
【図２ｃ】
2005518788.tif 000058
【図２ｄ】
2005518788.tif 000059
【図３ａ】
2005518788.tif 000060
【図３ｂ】
2005518788.tif 000061
【図３ｃ】
2005518788.tif 000062
【図３ｄ】
2005518788.tif 000063
【図４ａ】
2005518788.tif 000064
【図４ｂ】
2005518788.tif 000065
【図４ｃ】
2005518788.tif 000066
【図４ｄ】
2005518788.tif 000067
【図５】
2005518788.tif 000068
【図６】
2005518788.tif 000069
【図７】
2005518788.tif 000070
【図８】
2005518788.tif 000071
【図９】
2005518788.tif 000072
【図１０】
2005518788.tif 000073
【図１１】
2005518788.tif 000074
【図１２】
2005518788.tif 000075
【図１３】
2005518788.tif 000076
【図１４】
2005518788.tif 000077
【図１５】
2005518788.tif 000078
【国際調査報告】
2005518788.tif 000079
2005518788.tif 000080
2005518788.tif 000081
2005518788.tif 000082
2005518788.tif 000083